(57)【要約】【課題】  生花を豪華に生けることができかつ持ち運びが容易な幹足支持具付花瓶内筒及びこれを載置固定するための作業台を提供するものである。【解決手段】  生花を生ける受筒付幹足６を花瓶内部に固定するための幹足支持花瓶内筒容器であって、上部に第１の開口部を有し周囲に少なくとも１の第１のスペーサ２ａ〜２ｄを備えて花瓶内部に固定される花瓶内筒容器本体１ａと、上部に第２の開口部を有し少なくとも１の第２のスペーサ４ａ〜４ｄを備えて花瓶内筒本体内部１ａに固定収容され受筒付幹足６を支持する支持具４とを有するものである。【選択図】  図１
2005198892.tif 000002
【特許請求の範囲】
【請求項１】
生花を生ける受筒付幹足を花瓶内部に固定するための幹足支持花瓶内筒容器であって、上部に第１の開口部を有し周囲に少なくとも１の第１のスペーサを備えて前記花瓶内部に固定される花瓶内筒容器本体と、上部に第２の開口部を有し少なくとも１の第２のスペーサを備えて前記花瓶内筒本体内部に固定収容され前記受筒付幹足を支持する支持具とを有することを特徴とする幹足支持花瓶内筒容器。
【請求項２】
前記受筒付幹足が挿通可能な孔を備えて前記花瓶内筒容器本体内に収容される剣山を有することを特徴とする請求項１記載の幹足支持花瓶内筒容器。
【請求項３】
前記第１のスペーサ長は前記幹足支持花瓶内筒容器内で調節可能であることを特徴とする請求項１又は請求項２に記載の幹足支持花瓶内筒容器。
【請求項４】
生花を生ける受筒付幹足を花瓶内部に固定するための幹足支持花瓶内筒容器であって、上部に開口部を有し周囲に少なくとも１のスペーサを備え前記花瓶内部に固定され内部に突部が設けられる花瓶内筒容器本体と、前記受筒付幹足が挿通可能な孔を備えて前記花瓶内筒容器本体内の突部に載置される支持板とを有することを特徴とする幹足支持花瓶内筒容器。
【請求項５】
請求項１乃至請求項４のいずれか１項に記載の幹足支持花瓶内筒容器を載置固定する作業台であって、前記幹足支持花瓶内筒容器を支持固定する固定部と、運搬可能とする把持部と、溢水を防止する縁部が周設されてなることを特徴とする作業台。
【発明の詳細な説明】
【技術分野】
【０００１】
本発明は、生花を生けるための幹足支持具を花瓶内に安定に設置するための幹足支持具付花瓶内筒及びこれに生花を生ける際に使用する作業台に関する。
【背景技術】
【０００２】
一般に、大きな花瓶や広口の花瓶に花を生ける場合には通常の花瓶に花を生けるのと同様に底に剣山が載置された花瓶に水を入れて花を生けたり、金属製の「落とし」と呼ばれる水の入った容器を花瓶内に設置してそこへ花を生けたりしていた。しかしながら、従来のように大きな花瓶に水を入れてこれに生花を生けていく方法では花瓶内に貯留されている水の重量により花瓶及び生花の重さを含めた作品自体の全重量が非常に重くなるため作品を移動あるいは運搬させるのが困難であるとともに、水換え作業や花瓶の内部を清掃するのに労力を要するという課題があった。また、「落とし」を使用する場合には安定性が悪いという課題があった。
【０００３】
このような課題に対処するため、いくつかの発明及び考案が開示されている。
例えば、特許文献１には、「立花支え筒」という名称で、花瓶に立花する際に生花を安定させるための器具に関する発明が開示されている。
【０００４】
以下、図６（ａ）を参照しながら特許文献１に開示された技術について説明する。
特許文献１に開示された立花支え筒は筒２２とこれに挿通される棒２３とからなり、図６（ａ）に示すように棒２３を花瓶２１の内周面に当接させることにより花瓶２１内部上部に安定に設置するものである。水は従来通り花瓶２１内部に貯水されている。このような構造においては、花瓶２１内部に筒２２を固定して収容することで花瓶２１内部を四分割することができるため、花瓶２１及び筒２２内に生花を安定した状態で容易に生けることができる。また、筒２２周面に複数の穴２２ａを設けることで筒２２内部と花瓶２１内部との水の流れを良くし花持ちをよくすることもできる。
【０００５】
また、特許文献２には、「墓の花立用花器」という名称で花瓶内の水分が失われにくい花器に関する発明が開示されている。
【０００６】
以下、図６（ｂ）を参照しながら、特許文献２に開示された技術について説明する。
特許文献２の墓の花立用花器２４は図６（ｂ）に示すように角柱状の花立３２の上面中央部に供花３３を生けるために形成された花立用穴３１に挿入して使用されるものであり、上面が開口し底面板２７中央部に花立筒部２８が突設した花器本体２５と天板２９中央部に花挿入孔３０が形成された蓋体２６とから構成されている。なお、花器本体２５上部を蓋体２６で閉塞した場合には花立筒部２８と花挿入孔３０とが合致する構造となっており、墓の花立用花器２４内に水を貯水して花器本体２５上部を蓋体２６で閉塞し花挿入孔３０及び花立筒部２８に供花３３を挿通させて生けることにより使用する。このような構造の墓の花立用花器２４においては花器本体２５内には十分な量の水が貯水可能であるとともに蓋体２６によって貯水表面が外気と遮断されているため、花器本体２５内の水がなくなって供花３３が短期間で枯れてしまうのを防ぐことができる。また、墓の花立用花器２４は花立３２に対して着脱可能に設けられているため容易に取外すことができ清掃作業も楽に行うことができる。
【０００７】
しかしながら、特許文献１及び特許文献２に開示された発明においては大きな花瓶に安定した状態で生花を生けることができるとともに花瓶内の水分の蒸発を抑えて花持ちをよくすることができるものの、花瓶に生けられる生花の長さ及び量には限界があり作品の豪華さを表現するのが難しいという課題があった。
【０００８】
特許文献３には、「仏花用生け花器、およびそれを使用した仏花用生け花の仕上げ方法」という名称で短時間で容易に生花を豪華に生けることのできる花器に関する発明が開示されている。
【０００９】
以下、図６（ｃ）を参照しながら、特許文献３に開示された技術について説明する。
特許文献３に開示された仏花用生け花器３４は花瓶３６と、長さが最も長い金属パイプ製の直真用支柱体３９とこれよりも長さの短い飾り用支柱体を一まとめに束ねて形成される基幹部３５と、花瓶３６内上部に装着され挟持により基幹部３５を花瓶３６内に立設させる弾性状の抑え管と、基幹部３５に着脱自在に取り付けられる枝型受筒部３７及び胴型受筒部３８とから構成され、これらを組み立てると図６（ｃ）に示すような形状となる。また、枝型受筒部３７及び胴型受筒部３８内部には吸水性の発泡合成樹脂製塊が収容してあり、これに生花や枝木を生けることができる構造となっている。したがって、仏花用生け花器３４に花等を生ける場合にははじめに直真用支柱体３９に直真となる花等を生けそれから直真用支柱体３９周囲側面及び下方の枝型受筒部３７及び胴型受筒部３８に草花を生けていく。枝型受筒部３７及び胴型受筒部３８は着脱自在に設けられているため生ける際に枝型受筒部３７及び胴型受筒部３８の取り付け位置や取り付け方向及び角度を自由に変えることができるとともに、全体のバランスを考慮していくつかの枝型受筒部３７及び胴型受筒部３８を取り除くことが可能である。また、枝型受筒部３７及び胴型受筒部３８に花等を生けた後でも枝型受筒部３７及び胴型受筒部３８の装着位置を変えることは可能である。以上のことより、特許文献３の仏花用生け花器３４では短時間で簡単に生け花の創作作業を行うことができる。
【００１０】
また、華道具には金属製の筒の中に剣山を収容した受筒剣山を棒状の幹足に数個締結固定させた受筒付幹足という道具があり、これは藁や石を詰めて水を入れた大きな花瓶に幹足の先端部を刺し受筒剣山内の剣山や花瓶に生花を生けることにより使用されるものである。このような華道具を用いることによっては大きな花瓶内にバランスよく生花を生けることができるとともに高い位置にある受筒剣山にも生花を生けることができるため、横方向及び縦方向に幅を持たせてボリューム感のある生花を生けることができ作品をより豪華に見せることができる。
【００１１】
【特許文献１】特開２００１−１９０３８１号公報
【特許文献２】実開平６−５１４２８号公報
【特許文献３】特開２００２−１５９３８５号公報
【発明の開示】
【発明が解決しようとする課題】
【００１２】
しかしながら、上述の従来の技術においては、特許文献１に開示された発明においては、前述したとおり花瓶内に立花支え筒を収容して花瓶を四分割することで安定した状態で花瓶内に花を生けることができるものの、出来上がった作品は花瓶と筒との高さの差に花の長さを足した分だけの高さしかなく高さをだして作品をより豪華に見せることができないという課題があった。
【００１３】
また、特許文献２に開示された発明においては、供花を生ける花器本体内の水の蒸発を抑え花持ちをよくすることができるものの、供花を生けられる範囲は花挿入孔の大きさに限られているため供花の豪華さをだすには限界があるという課題があった。
【００１４】
特許文献３に開示された発明においては、花瓶内に直真用支柱体及び複数本の飾り用支柱体からなる基幹部を立設させ基幹部に複数の受筒部を着脱可能に取り付けることで短時間かつ容易に生け花を生け所望の作品を創ることができるものの、装飾がなされた基幹部を花瓶内に立設させる方法は花瓶内部上部に弾性を有する二枚の抑え管を装着しこれにより基幹部を挟持する構造であるため、装飾がなされた重量のある基幹部を支えるには不安定であるとともに、装飾後の作品を移動させるのにも労力を要するという課題があった。
【００１５】
受筒付幹足の使用においてはこれを生け花に用いることで作品に高さをだして花瓶の大きさに引けをとらないくらいに生花を豪華に生けることができるものの、花瓶内に藁や砂利を詰め水を入れただけでは重量のある受筒付幹足を支えるのは困難であるという課題があった。また、大きな花瓶に受筒付幹足が倒れないように藁、砂利及び水を充填させると作品の総重量が非常に重くなるため生け花の創作作業中あるいは作業後に花瓶を移動させるのは容易ではないという課題があった。さらには、大きな花瓶いっぱいに水を貯めてしまうと花瓶の内部が汚れてしまい重く体積の大きい花瓶を清掃するのに過大な労力を有するという課題があった。
【００１６】
本発明はかかる従来の事情に対処してなされたものであり、簡単な構造によって生花を豪華に生けることができかつ持ち運びが容易な幹足支持具付花瓶内筒及びこれを載置固定、運搬するための作業台を提供することを目的とする。
【課題を解決するための手段】
【００１７】
上記目的を達成するため、請求項１記載の発明である幹足支持花瓶内筒容器は、生花を生ける受筒付幹足を花瓶内部に固定するための幹足支持花瓶内筒容器であって、上部に第１の開口部を有し周囲に少なくとも１の第１のスペーサを備えて花瓶内部に固定される花瓶内筒容器本体と、上部に第２の開口部を有し少なくとも１の第２のスペーサを備えて花瓶内筒本体内部に固定収容され受筒付幹足を支持する支持具とを有するものである。
上記構成の幹足支持花瓶内筒容器においては、第１のスペーサによって花瓶内部上部に花瓶内筒容器本体を固定しさらに第２のスペーサによって花瓶内筒容器本体内部に受筒付幹足の幹足を支持する支持具を固定することにより、花瓶内部に受筒付幹足を安定した状態で立設固定させるという作用を有する。これは特許文献３のように花瓶内部に装飾がなされた基幹部を挟持して立設固定する構造よりも受筒付幹足等の装飾品の重量が花瓶に対して分散してかかるため安定性が高いと考えられる。また、水を花瓶内筒容器本体内部のみに貯水する構造とすることで貯水によって花瓶内部が汚れるのを防止するとともに、花瓶内筒容器本体は第１のスペーサによる固定のみで花瓶内部に固定される構造であるため、花瓶から花瓶内筒容器本体を取外すことにより空の花瓶と花瓶内筒容器本体とを分離可能とするという作用を有する。
【００１８】
また、請求項２記載の発明である幹足支持花瓶内筒容器は、請求項１記載の幹足支持花瓶内筒容器において、受筒付幹足が挿通可能な孔を備えて花瓶内筒容器本体内に収容される剣山を有するものである。
上記構成の幹足支持花瓶内筒容器においては、花瓶内筒容器本体内部に剣山を設置することで受筒付幹足の受筒内だけでなく花瓶内筒容器本体内部にも生花を生けることを可能にするという作用を有する。また、受筒付幹足を剣山の孔に挿通させることにより、剣山が受筒付幹足の幹足の周面に固定されるという作用を有する。
【００１９】
請求項３記載の発明である幹足支持花瓶内筒容器は、請求項１又は請求項２に記載の幹足支持花瓶内筒容器において、第１のスペーサ長が幹足支持花瓶内筒容器内で調節可能である。
上記構成の幹足支持花瓶内筒容器においては、請求項１又は請求項２に記載の作用に加えて花瓶の開口部の大きさに応じて第１のスペーサの長さが可変するという作用を有する。
【００２０】
また、請求項４記載の発明である幹足支持花瓶内筒容器は、生花を生ける受筒付幹足を花瓶内部に固定するための幹足支持花瓶内筒容器であって、上部に開口部を有し周囲に少なくとも１のスペーサを備え花瓶内部に固定され内部に突部が設けられる花瓶内筒容器本体と、受筒付幹足が挿通可能な孔を備えて花瓶内筒容器本体内の突部に載置される支持板とを有するものである。
上記構成の幹足支持花瓶内筒容器においては、花瓶内筒容器本体に設けられる突部とその突部に載置される支持板によって、請求項１乃至請求項３に記載の支持具と同等の機能を有し受筒付幹足の幹足を支持固定するという作用を有する。よって、これにより請求項１乃至請求項３に記載の支持具を設ける必要がなくなるという作用を有する。
【００２１】
請求項５記載の発明である作業台は、請求項１乃至請求項４のいずれか１項に記載の幹足支持花瓶内筒容器を載置固定する作業台であって、幹足支持花瓶内筒容器を支持固定する固定部と、運搬可能とする把持部と、溢水を防止する縁部が周設されてなるものである。
上記構成の作業台においては、固定部により作業台上に請求項１乃至請求項４のいずれか１に記載の幹足支持花瓶内筒容器を固定することが可能であるため生け花の創作作業を作業台上で任意の段階まで行うことを可能とするとともに、把持部を設けることで任意の段階まで生けられた作品をそのままの状態で運搬可能とするという作用を有する。また、縁部を設けることにより創作作業時の溢水を防ぐという作用を有する。
【発明の効果】
【００２２】
以上説明したように、本発明の請求項１に記載の幹足支持花瓶内筒容器においては、高さのある受筒付幹足に生花を生けこれを安定した状態で花瓶内に支持固定することができるため作品を豪華に仕上げることができる。また、花瓶内部に直接貯水しない構造としかつ花瓶に対して幹足支持花瓶内筒容器を容易に取外せる構造とすることで、例えば、花瓶が大きい場合には洗い場まで重量のある花瓶を運んで内面積の広い内側を洗ったりするという清掃作業における手間を省略し清掃にかかる時間を短縮することができるとともに、作品を移動させる際に受筒付幹足が立設された幹足支持花瓶内筒容器と花瓶とを別個にして運ぶことができ運搬作業にかかる負担を軽減させるという効果がある。
【００２３】
また、本発明の請求項２に記載の幹足支持花瓶内筒容器においては、受筒付幹足の幹足に沿って花を生けることが可能である。
【００２４】
本発明の請求項３に記載の幹足支持花瓶内筒容器においては、第１のスペーサの長さを調節することにより様々な口径を有した花瓶内部上部に幹足支持花瓶内筒容器の花瓶内筒容器本体を固定することができる。
【００２５】
本発明の請求項４に記載の幹足支持花瓶内筒容器においては、請求項１乃至請求項３の効果に加えてより簡素な支持板を設けることで部品数を少なくしコストを削減することができるという効果がある。
【００２６】
最後に、本発明の請求項５に記載の作業台においては、作業台上で受筒付幹足及びこれを支持する花瓶内筒容器本体に任意の段階まで花を生けたり装飾したりすることができるとともに、これを容易に持ち運ぶことができる。そのため、花瓶内筒容器本体のみを移動させればよいので、花瓶は展示場に置いておけばよく何度も移動させる必要がないという効果がある。また、水換え作業においても花瓶を持ち運ぶ必要はなく花瓶内筒容器本体のみを水場まで持っていき水を入れ換えればよいだけであるため、容易に行うことができる。作業台に縁部を設けることによっては創作作業時に周囲に水がこぼれるのをガードするため、創作作業後に床やテーブル等を拭いたりする必要がなく清掃時間を削減することができる。
【発明を実施するための最良の形態】
【００２７】
大きな花瓶に安定した状態で生花を豪華に生けるという目的を、簡単で取り扱い容易な容器を用いながら、運搬や清掃等にできるだけ労力を費やすことなく実現した。
【００２８】
以下に、本発明の最良の実施の形態に係る幹足支持花瓶内筒容器及びこれを載置固定するための作業台の実施例を図１乃至図５に基づき説明する。
はじめに幹足支持花瓶内筒容器の実施例について説明し、その後作業台の実施例について説明する。
【実施例１】
【００２９】
図１は本発明の実施例１の幹足支持花瓶内筒容器に受筒付幹足を固定したときの概念図である。
実施例１の幹足支持花瓶内筒容器は受筒付幹足５を花瓶内に固定するための道具であり、広く開口した上下二段に径の異なる円筒状の容器であって上部円筒の外周面に支持棒２ａ〜２ｄを略均等に配設した花瓶内筒容器本体１ａと、上部及び下部周面に略均等に配置された支持棒４ａ〜４ｄ，４ｅ〜４ｈを有しこれにより花瓶内筒容器本体１ａ内部に支持固定される幹足支持具４と、幹足支持具４の上部に載置されるリング状剣山３とから構成されている。なお、幹足支持具４の中心部は受筒付幹足５が挿入できるように空洞になっており、リング状剣山３の中心部にも受筒付幹足５を挿入可能な孔３ａが設けられている。
受筒付幹足５は華道具の一種で内部に剣山１０ａ，１０ｂが収容されカップ状の受筒７ａ〜７ｃを締結具８ａ〜８ｃ及びボルト９ａ〜９ｃで金属製の幹足６に固着したものであり、実施例１の幹足支持花瓶内筒容器はこのような受筒付幹足５を図１に示すように受筒付幹足５の幹足先端部６ａを幹足支持花瓶内筒容器の幹足支持具４中心部の空洞及びリング状剣山３の孔３ａに挿嵌させることにより安定な状態で支持固定するものである。
【００３０】
図２は図１の実施例１の幹足支持花瓶内筒容器の使用方法を示す断面概念図である。図２において、図１に記載されたものと同一部分については同一符号を付し、その構成についての説明は省略する。
従来、市販品の受筒付幹足５を用いて図２に示すような大きな花瓶１２に花を生ける場合には花瓶１２の中に砂利や藁を充填させてそこへ受筒付幹足５を挿設し、さらに、花瓶１２いっぱいに水を入れることにより花瓶１２内に受筒付幹足５を立設させて花瓶１２内部や受筒付幹足５の受筒７ａ〜７ｃに生花を生けていた。しかしながら、このような生け方では受筒付幹足５が不安定な状態にあるため生花の本数が多い場合には受筒付幹足５が倒れてしまうという可能性もある。また、体積の花瓶１２に大量の水を入れる従来の生け方では花瓶１２、受筒付幹足５、生花１１及び水の総重量が非常に重くなるため、作品の持ち運びや水換え作業において大変な労力を要していたとともに清掃面においても大きな花瓶１２を洗うのには手間がかかり長時間を要していた。
前述したとおり、幹足支持花瓶内筒容器は図２に示すように広い開口部１２ａを有した体積の大きな花瓶１２内部に受筒付幹足５を支持固定するために使用するものであり、花瓶１２開口部１２ａ内壁で受筒付幹足５の支持棒２ａ〜２ｄを掛止することにより花瓶１２内に受筒付幹足５を立設させることができる。受筒付幹足５及び花瓶内筒容器本体１ａを均等に周配置された支持棒２ａ〜２ｄで支えることによっては受筒付幹足５及び花瓶内筒容器本体１ａ等の重量が分散して花瓶１２に加わるため、受筒付幹足５を安定した状態で花瓶１２内に設置することができる。そのため、受筒付幹足５が倒れて出来上がった作品が損壊することはない。
【００３１】
また、このように組み立てられた幹足支持花瓶内筒容器及び花瓶１２に花を生ける場合には受筒付幹足５の受筒７ａ〜７ｃ及び花瓶内筒容器本体１ａ内に水を入れ図２に示すように生花１１を挿す。これによっては花瓶内筒容器本体１ａ内のリング状剣山３に生花１１を生けることにより横方向への広がりを強調できるとともに受筒付幹足５により作品の高さを出すことができるため、作品をより豪華にすることができるという効果がある。また、受筒付幹足５の受筒７ａ〜７ｃの下部は幹足６が露出しやすいため、この部分に生花１１を追加できれば全体的にまとまりのある作品に仕上げることが可能である。さらには、花瓶内筒容器本体１ａは花瓶１２に対して容易に取外すことができるため、作品を運搬する際に重量のある花瓶１２と花瓶内筒容器本体１ａを別個にして運ぶことができ運搬作業の負担が少なく安全である。加えて、花の水換えは花瓶内筒容器本体１ａを花瓶１２から取外し花瓶内筒容器本体１ａ内及び受筒７ａ〜７ｃ内の水を換えればよいだけであるので花瓶１２を汚すことなく容易に行うことができる。したがって、清掃作業も容易に行うことができる。
なお、図１及び図２ではリング状剣山３を幹足支持具４上部に載置した構造であったが、リング状剣山３及び孔３ａの直径を図１及び図２に示すものよりも大きく設けて花瓶内筒容器本体１ａ上部側の円筒容器の平面、すなわち、支持棒２ａ，２ｂが設けられている開口部の底面に載置する構造としてもよい。このような構造にすることによっては、丈の短い生花を花瓶１２開口部１２ａ付近に生けることができる。
【実施例２】
【００３２】
図３は本発明の実施例２の幹足支持花瓶内筒容器の断面概念図である。
実施例２の幹足支持花瓶内筒容器は図１及び図２に示す実施例１の幹足支持具４に代えて花瓶内筒容器本体１ｂの内周面に突部１４ａ，１４ｂを設け、これに剣山３を載置し、さらに花瓶内筒容器本体１ｂの底面に窪み１３を形成したものである。このような構造においては実施例１と同様に突部１４ａ，１４ｂと剣山３及び窪み１３により受筒付幹足５の幹足６を花瓶内筒容器本体１ｂ内に安定に支持固定することが可能であるとともに、図１及び図２に示す実施例１のように幹足支持具４を設ける必要がないため部品数を削減しコストを低下させることができるという効果がある。
また、突部１４ａ，１４ｂ上には支持板として剣山３を載置したが、剣山３に限定するものではなく、強度を有する支持板であればよい。身の丈の短い花を生けて幹足６の露出を防止することが可能であるため、剣山３を支持板として載置することが望ましい。突部１４ａ，１４ｂは内周面に２箇所設けたが、その数は限定するものではなく、さらに内周面全体に亘って中央に孔を備える円板状に設けてもよい。
なお、図１乃至図３においては花瓶内筒容器本体１ａ，１ｂの支持棒２ａ〜２ｄが固定された構造としたが、これらを花瓶内筒容器本体１ａ，１ｂ容器面からの長さを可変とする構造としてもよい。このような構造においては、花瓶１２開口部１２ａの口径に合わせて花瓶内筒容器本体１ａ，１ｂの容器面から突出する支持棒２ａ〜２ｄの長さを変えることができ、どのような形状あるいは大きさの花瓶１２に対しても花瓶１２内部に花瓶内筒容器本体１ａ，１ｂをしっかりと固定することができる。具体的に支持棒２ａ〜２ｄの長さを変える構造としては、内部に収納される多段スライド型の支持棒などが考えられる。
【実施例３】
【００３３】
図４（ａ）及び（ｂ）は本発明の実施例３の幹足支持花瓶内筒容器の断面概念図である。図４において、図１乃至図３に記載されたものと同一部分については同一符号を付し、その構成についての説明は省略する。
図４に示す実施例３の幹足支持花瓶内筒容器では図１と図２に示す実施例１及び図３に示す実施例２の花瓶内筒容器本体１ａ，１ｂの支持棒２ａ〜２ｄに代えて花瓶内筒容器本体１ｃ，１ｄの開口部１ｅを円錐状に形成し、花瓶内筒容器本体１ｃ，１ｄの開口部１ｅ外周面を花瓶１５の開口部１５ａ内周面に当接させた構造となっている。これによっては花瓶内筒容器本体１ｃ，１ｄの開口部１ｅ外周面が実施例１及び実施例２の幹足支持花瓶内筒容器の支持棒２ａ〜２ｄと同様の役割を担っており、花瓶内筒容器本体１ａ，１ｂ及びこれの内部に収容される受筒付幹足５の幹足６等の総重量を支えている。したがって、実施例３についても実施例１及び実施例２と同様の効果を有する。
【実施例４】
【００３４】
次に、本発明の実施の形態に係る作業台について実施例４として説明する。
図５は本発明の実施例４に係る作業台の使用方法を示す概念図である。
【００３５】
花瓶内筒１及びこれに支持固定される受筒付幹足５に花を生ける場合には、図５に示すように水の入った花瓶内筒容器本体１を四方向の相対的位置に配置された固定具１８ａ〜１８ｄにより作業台１７上に挟持固定してから創作作業を行っていく。花瓶内筒容器本体１は図１乃至図４に示す実施例１乃至実施例３の花瓶内筒容器本体１ａ〜１ｄのすべてに相当するものである。本来、受筒付幹足５は図１及び図２に示すとおり受筒７ａ〜７ｃが具備されているため受筒付幹足５単独では不安定な状態にあり花を生けるのは難しい。しかしながら、本実施例の作業台１７上に固定された花瓶内筒容器本体１内に、図示していないが受筒付幹足５を挿嵌させることで安定な状態で固定される。よって、作品の創作工程における所望の作業段階までを作業台１７上で行うことが可能となる。
また、花瓶内筒用作業台１６には持ち運びができるように把持具２０ａ，２０ｂが取り付けてあるため、図５に示すような状態から花を生けて所望の作業段階まで創作作業を行った後、生け花の設置場所にこれを移動させてその場所の環境催事などに適切な最後の仕上げを行うようにすれば効率よく作業を行うことができる。さらには、作業台１７周縁に他の部分よりも座高に形成される縁部１７ａを設けることにより生け花や運搬の作業中あるいは水換え作業中に作業台１７上にこぼれた水が周囲にこぼれ落ちるのを防止することができるため、周囲を汚さず作業を行うことができる。
【００３６】
なお、図５では固定具１８ａ〜１８ｄをボルト１９ａ〜１９ｈにより作業台１７上に止着する構造としたが、固定具１８ａ〜１８ｄの立設部分が作業台１７に対してスライド可能な構造としてもよい。このような構造とした場合には固定具１８ａ〜１８ｄによって挟持される内径を変えることができるため、花瓶内筒容器本体１の円筒直径に応じて固定具１８ａ〜１８ｄをスライドさせて花瓶内筒容器本体１を確実に挟持し作業台１７上に花瓶内筒容器本体１を安定した状態で固定することができる。なお、固定具１８ａ〜１８ｄは本実施例では４箇所設けたが、この数は適宜変更してもよいし、図５では花瓶内筒容器本体１底面を作業台１７上に接触させていないものの、支持固定の観点から接触するまで花瓶内筒容器本体１を固定具１８ａ〜１８ｄで形成される空間に挿入することが望ましいことは言うまでもない。
また、図５では作業台１７を円形状に形成しているが、この形状に限らず四角形状としてもよい。
【産業上の利用可能性】
【００３７】
高さのある生け花作品を創るのに利用することができ、大きな花瓶に生花を豪華に生けるのに適用できる。
【図面の簡単な説明】
【００３８】
【図１】本発明の実施例１に係る幹足支持花瓶内筒容器に受筒付幹足を固定したときの概念図である。
【図２】図１の実施例１の幹足支持花瓶内筒容器の使用方法を示す断面概念図である。
【図３】本発明の実施例２に係る幹足支持花瓶内筒容器の断面概念図である。
【図４】（ａ）及び（ｂ）は本発明の実施例３に係る幹足支持花瓶内筒容器の断面概念図である。
【図５】本発明の実施例４に係る作業台の使用方法を示す概念図である。
【図６】（ａ）従来技術に係る立花支え筒の概念図であり、（ｂ）は従来技術に係る墓の花立用花器の概念図であり、（ｃ）は従来技術に係る仏花用生け花器の概念図である。
【符号の説明】
【００３９】
１，１ａ〜１ｄ…花瓶内筒容器本体  １ｅ…開口部  ２ａ〜２ｄ…支持棒  ３…リング状剣山  ３ａ…孔  ４…幹足支持具  ４ａ〜４ｈ…支持棒  ５…受筒付幹足    ６…幹足  ６ａ…幹足先端部  ７ａ〜７ｃ…受筒  ８ａ〜８ｃ…締結具  ９ａ〜９ｃ…ボルト  １０ａ，１０ｂ…剣山  １１…生花  １２…花瓶  １２ａ…開口部  １３…窪み  １４ａ，１４ｂ…突部  １５…花瓶  １５ａ…開口部  １６…花瓶内筒用作業台  １７…作業台  １７ａ…縁部  １８ａ〜１８ｄ…固定具  １９ａ〜１９ｈ…ボルト  ２０ａ，２０ｂ…把持具  ２１…花瓶  ２２…筒  ２２ａ…穴  ２３…棒  ２４…墓の花立用花器  ２５…花器本体  ２６…蓋体  ２７…底面板  ２８…花立筒部  ２９…天板  ３０…花挿入孔  ３１…花立用穴  ３２…花立  ３３…供花  ３４…仏花用生け花器  ３５…基幹部  ３６…花瓶  ３７…枝型受筒部  ３８…胴型受筒部  ３９…直真用支柱体
【図１】
2005198892.tif 000003
【図２】
2005198892.tif 000004
【図３】
2005198892.tif 000005
【図４】
2005198892.tif 000006
【図５】
2005198892.tif 000007
【図６】
2005198892.tif 000008